【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
骨アンカーを骨に打ち込むように構成されたロッキングねじ回しであって、
近位端及び、第１の方向に沿って前記近位端から離間配置された遠位端を画定するシャフトであって、前記遠位端が前記骨アンカーの駆動開口部に受け入れられるように構成され、前記シャフトが、前記遠位端から前記近位端に向かって前記第１の方向に沿って延在する第１のガイド部材を画定し、前記シャフトは前記遠位端に配置された複数の傾斜部を含み、それぞれの傾斜部は前記第１の方向に対して角度を付けてオフセットされた傾斜面を画定し、前記傾斜部が、前記第１の方向に対して実質的に垂直に延びる第２の方向に沿って互いから離間配置される、シャフトと、
解放可能にロックされた位置まで、前記シャフトに沿って、かつそれぞれの前記複数の傾斜部の上を移動するように摺動部材を方向付けるために前記第１のガイド部材と係合するように構成された第２のガイド部材を有する摺動部材であって、前記摺動部材及び前記シャフトの前記遠位端が前記駆動開口部に配置され、前記摺動部材が前記解放可能にロックされた位置にあるときに、前記ロッキングねじ回しが前記骨アンカーに解放可能にロックされる、摺動部材と、
前記解放可能にロックされた位置へと前記シャフトに沿って移動するように前記摺動部材を付勢する力を付加するように構成された作動装置と、を備える、ロッキングねじ回し。
【請求項２】
前記第１のガイド部材が、前記第１の方向に沿って前記遠位端から前記近位端に向かって延在するチャネルを備え、前記チャネルは底面を画定し、前記摺動部材はこの底面に沿って移動し、前記複数の傾斜部の少なくとも１つは前記底面から外向きに延在する、請求項１に記載のロッキングねじ回し。
【請求項３】
前記第２のガイド部材が、前記チャネルの前記底面に沿って移動するように構成された摺動面を備え、前記摺動部材が前記摺動面から外向きに延在する突起を有し、前記シャフトが前記第１の方向に沿って前記シャフトの前記遠位端から前記近位端に向かって前記底面内に延在する溝を画定し、前記突起が前記溝内に受け入れられかつ前記第１の方向に沿って前記溝内を移動するように構成される、請求項２に記載のロッキングねじ回し。
【請求項４】
前記突起が、前記第１の方向に対して実質的に平行に延在する前記摺動部材の中心線に沿って前記摺動部材から延在する、請求項３に記載のロッキングねじ回し。
【請求項５】
前記突起が、前記第１及び第２の方向に対してそれぞれ実質的に垂直に延在する第３の方向に沿って前記摺動面から延在する、請求項３に記載のロッキングねじ回し。
【請求項６】
前記突起が、前記摺動部材の第１端から第２端に向かって前記第１の方向に沿って延在する、請求項３に記載のロッキングねじ回し。
【請求項７】
前記複数の傾斜部が一対の傾斜部を備え、それぞれの傾斜部が前記溝の対応する対向側面に隣接して配置される、請求項３に記載のロッキングねじ回し。
【請求項８】
前記突起が、前記第１の方向に対して実質的に平行に延在する前記摺動部材の中心線に沿って前記摺動部材の第１端から第２端に向かって延在する、請求項７に記載のロッキングねじ回し。
【請求項９】
前記摺動部材の第１端が、前記突起の対向する側面に沿って配置された一対のライディング面を画定し、それぞれのライディング面は前記一対の傾斜部の中の対応する１つの対応する傾斜面に沿って進むように構成される、請求項８に記載のロッキングねじ回し。
【請求項１０】
前記摺動部材が前記シャフトに対して移動したときに前記突起が前記溝と接触しないように前記溝が構成される、請求項３に記載のロッキングねじ回し。
【請求項１１】
それぞれの傾斜部の前記対応する傾斜面が前記チャネルと交差する場所に、それぞれの前記複数の傾斜部が、対応する移行位置を画定し、それぞれの傾斜部の前記移行位置が、前記骨アンカーの前記駆動開口部の深さより短い距離にかけて前記シャフトの前記遠位端から離間配置される、請求項２に記載のロッキングねじ回し。
【請求項１２】
それぞれの前記複数の傾斜部の前記対応する移行位置が前記シャフトの前記遠位端から等間隔に離間配置される、請求項１１に記載のロッキングねじ回し。
【請求項１３】
それぞれの傾斜部の前記傾斜面が、それぞれの傾斜部の対応する上端と、それぞれの傾斜部の前記対応する移行位置との間で一直線である、請求項１１に記載のロッキングねじ回し。
【請求項１４】
前記シャフトが、前記チャネル内に前記摺動部材を保持するように形成された少なくとも１つの保持部材を有する、請求項２に記載のロッキングねじ回し。
【請求項１５】
前記少なくとも１つの保持部材が一対の保持部材を備え、それぞれの保持部材が前記チャネルの対応する対向側面から内向きに延在する、請求項１４に記載のロッキングねじ回し。
【請求項１６】
それぞれの保持部材が、前記チャネルの前記対向側面の中の対応する１つの対応する上縁から延在する弧状突起を備える、請求項１５に記載のロッキングねじ回し。
【請求項１７】
前記摺動部材が、前記弧状突起間に配置されるように形成された保持部位を有する、請求項１６に記載のロッキングねじ回し。
【請求項１８】
前記摺動部材が一対の保持翼部を更に備え、前記一対の保持翼部と前記一対の弧状突起との間の係合が前記チャネル内に前記摺動部材を保持するように、前記弧状突起の該当する１つによって受け入れられるようにそれぞれの保持翼部が形成されている、請求項１６に記載のロッキングねじ回し。
【請求項１９】
前記摺動部材が少なくとも１つの連結部材を有し、前記作動装置が前記少なくとも１つの連結部材を受け入れるように形成された少なくとも１つの連結接合面を画定し、前記作動装置が前記シャフトの外面の少なくとも一部分に沿って画定された相補的なねじ山と係合するように形成されたねじ山付きの穴を画定する、請求項１に記載のロッキングねじ回し。
【請求項２０】
前記少なくとも１つの連結部材が前記摺動部材の第２端に近接して前記摺動部材から外向きに延在する一対のツメを備え、前記ツメが前記第１の方向に沿って互いから離間配置され、前記作動装置がノブを備え、前記少なくとも１つの連結接合面が前記ノブの対向する端内に延在する一対の環状溝を備え、それぞれの環状溝が前記一対のツメの中の対応する１つを受け入れるように形成されている、請求項１９に記載のロッキングねじ回し。
【請求項２１】
ロッキングねじ回しを骨アンカーに解放可能にロッキングする方法であって、前記ロッキングねじ回しは、複数の傾斜部を画定するシャフトを含み、前記ロッキングねじ回しは前記シャフトに連結されかつ前記シャフトに沿って前方向に移動するように構成された摺動部材を更に含み、前記方法が、
前記シャフトの端を前記骨アンカーの駆動開口部に挿入する工程と、
前記摺動部材を前記シャフトに沿って前記前方向に、かつ前記傾斜部上へと移動させる工程であって、これによって、前記摺動部材を前記前方向に対して実質的に垂直の方向に沿って移動させることで前記摺動部材と前記骨アンカーの内面との間に干渉ロックを画定し、それによって前記摺動部材を前記骨アンカーに解放可能にロッキングする、工程と、
前記前方向と実質的に反対である後方向に沿って且つ少なくとも部分的に前記傾斜部から降りるように前記摺動部材を移動させる工程であって、これによって、前記骨アンカーから前記摺動部材を解放する、工程と、を含む、方法。
【請求項２２】
前記ロッキングねじ回しが前記シャフト及び前記ロッキング部材に動作可能に連結された作動装置を更に備え、前記摺動部材を前記前方向に移動させる工程が前記シャフト及び前記摺動部材の周囲で第１の回転方向に沿って前記作動装置に力を付加することを含む、請求項２１に記載の方法。
【請求項２３】
前記摺動部材を前記後方向に移動させる工程が、前記第１の回転方向と実質的に反対の第２の回転方向に沿って第２の力を前記作動装置に付加することを含む、請求項２２に記載の方法。
【請求項２４】
前記シャフトが近位端と、長手方向に沿って前記近位端から離間配置された遠位端とを画定し、前記シャフトが前記摺動部材を受け入れるように形成されたチャネルを更に画定し、前記チャネルが前記長手方向に沿って前記遠位端から前記近位端に向かって延在する、請求項２１に記載の方法。
【請求項２５】
前記シャフトが前記チャネル内に延在する溝を画定し、摺動部材は、前記摺動部材が前記シャフトに沿って移動したときに前記溝に受け入れられるように形成された突起を有する、請求項２４に記載の方法。
【請求項２６】
前記複数の傾斜部が互いから離間配置され、それらの間に隙間を画定する、請求項２１に記載の方法。
【請求項２７】
ロッキングねじ回しであって、
近位端と遠位端との間で長手方向に延在するシャフトであって、長手方向のチャネルが前記遠位端から前記シャフト内に延在し、前記チャネルは前記シャフトの前記遠位端で傾斜している底面を画定し、前記シャフトは前記チャネルの対向する側面に沿って保持部材を画定し、それぞれの前記保持部材は、前記底面から延出するにつれて前記保持部材のうちの他方に向かって延びる、シャフトと、
前記チャネル内に配置される摺動部材であって、前記底面から離れる前記摺動部材の動きに対して前記保持部材によって前記チャネル内部に捉えられ、前記チャネル内部で移動可能である、摺動部材と、
前記シャフト及び前記摺動部材の第２端に動作可能に連結された作動装置であって、前記チャネル内部で前記摺動部材を移動するように構成された、作動装置と、を備え、
前記シャフトの前記遠位端と前記摺動部材の前記第２端の反対側の前記摺動部材の第１端とが、骨アンカーの駆動開口部に同時に受け入れられるように構成されることにより、前記摺動部材の前記第１端が前記傾斜面に沿って進むときに、前記摺動部材の前記第１端が前記駆動開口部内で半径方向に外向きに移動され、前記シャフトの前記遠位端と前記摺動部材の前記第１端とを前記骨アンカーの前記駆動開口部内で解放可能にロッキングする、ロッキングねじ回し。
【請求項２８】
前記作動装置が、ノブを備え、前記ノブが、それを通じて延在するねじ山付きの穴と、前記摺動部材に画定された相補的な連結部材を受け入れるように構成された連結接合面とを有し、前記ねじ山付きの穴が前記シャフトの外面に画定された相補的なねじ山と回転可能に係合するように形成されている、請求項２７に記載のロッキングねじ回し。
【請求項２９】
前記連結接合面が前記ノブの対向する端から前記ノブ内に延在する一対の環状溝を備え、前記環状溝が前記連結部材を受け入れるように形成されている、請求項２８に記載のロッキングねじ回し。
【請求項３０】
前記連結部材が前記摺動部材から半径方向に外向きに延在する一対のツメを備え、前記ツメのそれぞれが前記環状溝の対応する１つに受け入れられるように形成されている、請求項２９に記載のロッキングねじ回し。
【請求項３１】
前記シャフトの前記保持部材が、前記チャネルの対向する上縁から内向きに延在する一対の弧状突出部を備える、請求項２７に記載のロッキングねじ回し。
【請求項３２】
前記摺動部材が狭窄部を備え、前記狭窄部が前記弧状突出部間に配置されるように形成されている、請求項３１に記載のロッキングねじ回し。
【請求項３３】
前記摺動部材が前記弧状突出部内に受け入れられるように形成されている長手方向の翼部を更に備え、前記翼部と前記弧状突出部との係合が前記摺動部材を前記チャネル内部に保持する、請求項３１に記載のロッキングねじ回し。
【請求項３４】
前記シャフトの前記遠位端と前記チャネルの前記底面への移行部との間で前記傾斜面が平坦である、請求項２７に記載のロッキングねじ回し。
【請求項３５】
前記シャフトの前記遠位端と前記チャネルの前記底面への移行部との間で前記傾斜面が湾曲している、請求項２７に記載のロッキングねじ回し。
【請求項３６】
前記摺動部材の第２端が、傾斜のある先端表面を有する先端部分を画定する、請求項２７に記載のロッキングねじ回し。
【請求項３７】
骨アンカーを骨に打ち込むように構成されたロッキングねじ回しであって、
近位端及び、第１の方向に沿って前記近位端から離間配置された遠位端を画定するシャフトであって、前記遠位端が前記骨アンカーの駆動開口部に受け入れられるように構成され、前記シャフトが、底面を画定するチャネルと、前記第１の方向に沿って前記シャフトの前記遠位端から前記近位端に向かって前記底面内に延在する溝と、を画定し、前記チャネルが、前記第１の方向に沿って前記遠位端から前記近位端に向かって延在し、前記シャフトは、前記遠位端に配置された複数の傾斜部を含み、それぞれの傾斜部は前記第１の方向に対して角度を付けてオフセットされた傾斜面を画定し、前記複数の傾斜部の少なくとも１つは前記底面から外向きに延在する、シャフトと、
摺動面及び突起を有する摺動部材であって、前記突起が、前記摺動面から外向きに延在しており、前記溝内に受け入れられかつ前記第１の方向に沿って前記溝内を移動するように構成され、前記摺動面が、前記底面に沿って移動し、また、解放可能にロックされた位置まで、前記シャフトに沿って、かつそれぞれの前記複数の傾斜部の上を移動するように前記摺動部材を方向付け、前記摺動部材及び前記シャフトの前記遠位端が前記駆動開口部に配置され、前記摺動部材が前記解放可能にロックされた位置にあるときに、前記ロッキングねじ回しが前記骨アンカーに解放可能にロックされる、摺動部材と、
前記解放可能にロックされた位置へと前記シャフトに沿って移動するように前記摺動部材を付勢する力を付加するように構成された作動装置と、を備える、ロッキングねじ回し。
【請求項３８】
前記突起が、前記第１の方向に対して実質的に平行に延在する前記摺動部材の中心線に沿って前記摺動部材から延在する、請求項３７に記載のロッキングねじ回し。
【請求項３９】
前記突起が、前記第１及び第２の方向に対してそれぞれ実質的に垂直に延在する第３の方向に沿って前記摺動面から延在する、請求項３７に記載のロッキングねじ回し。
【請求項４０】
前記突起が、前記摺動部材の第１端から第２端に向かって前記第１の方向に沿って延在する、請求項３７に記載のロッキングねじ回し。
【請求項４１】
前記複数の傾斜部が一対の傾斜部を備え、それぞれの傾斜部が前記溝の対応する対向側面に隣接して配置される、請求項３７に記載のロッキングねじ回し。
【請求項４２】
前記突起が、前記第１の方向に対して実質的に平行に延在する前記摺動部材の中心線に沿って前記摺動部材の第１端から第２端に向かって延在する、請求項４１に記載のロッキングねじ回し。
【請求項４３】
前記摺動部材の第１端が、前記突起の対向する側面に沿って配置された一対のライディング面を画定し、それぞれのライディング面は前記一対の傾斜部の中の対応する１つの対応する傾斜面に沿って進むように構成される、請求項４２に記載のロッキングねじ回し。
【請求項４４】
前記摺動部材が前記シャフトに対して移動したときに前記突起が前記溝と接触しないように前記溝が構成される、請求項３７に記載のロッキングねじ回し。
【請求項４５】
前記シャフトが、前記チャネル内に前記摺動部材を保持するように形成された少なくとも１つの保持部材を有する、請求項３７に記載のロッキングねじ回し。
【請求項４６】
前記少なくとも１つの保持部材が一対の保持部材を備え、それぞれの保持部材が前記チャネルの対応する対向側面から内向きに延在する、請求項４５に記載のロッキングねじ回し。
【請求項４７】
それぞれの保持部材が、前記チャネルの前記対向側面の中の対応する１つの対応する上縁から延在する弧状突起を備える、請求項４６に記載のロッキングねじ回し。
【請求項４８】
前記摺動部材が、前記弧状突起間に配置されるように形成された保持部位を有する、請求項４７に記載のロッキングねじ回し。
【請求項４９】
ロッキングねじ回しであって、
近位端と遠位端との間で長手方向に延在するシャフトであって、長手方向のチャネルが前記遠位端から前記シャフト内に延在し、前記チャネルは前記シャフトの前記遠位端で傾斜している底面を画定し、前記シャフトは前記チャネルの対向する側面に沿って保持部材を画定する、シャフトと、
前記チャネル内に配置されかつ前記保持部材によって前記チャネル内部に保持される摺動部材であって、前記チャネル内部で移動可能である、摺動部材と、
前記シャフト及び前記摺動部材の第２端に動作可能に連結された作動装置であって、前記チャネル内部で前記摺動部材を移動するように構成された、作動装置と、を備え、
前記作動装置が、ノブを備え、前記ノブが、それを通じて延在するねじ山付きの穴を有し、前記ねじ山付きの穴が前記シャフトの外面に画定された相補的なねじ山と回転可能に係合するように形成され、前記ノブが、前記摺動部材に画定された相補的な連結部材を受け入れるように構成された連結接合面を更に有し、前記連結接合面が前記ノブの対向する端から前記ノブ内に延在する一対の環状溝を備え、前記環状溝が前記連結部材を受け入れるように形成されており、
前記シャフトの前記遠位端と前記摺動部材の前記第２端の反対側の前記摺動部材の第１端とが、骨アンカーの駆動開口部に同時に受け入れられるように構成されることにより、前記摺動部材の前記第１端が前記傾斜面に沿って進むときに、前記摺動部材の前記第１端が前記駆動開口部内で半径方向に外向きに移動され、前記シャフトの前記遠位端と前記摺動部材の前記第１端とを前記骨アンカーの前記駆動開口部内で解放可能にロッキングする、ロッキングねじ回し。
【請求項５０】
前記連結部材が前記摺動部材から半径方向に外向きに延在する一対のツメを備え、前記ツメのそれぞれが前記環状溝の対応する１つに受け入れられるように形成されている、請求項４９に記載のロッキングねじ回し。
【請求項５１】
前記シャフトの前記保持部材が、前記チャネルの対向する上縁から内向きに延在する一対の弧状突出部を備える、請求項４９に記載のロッキングねじ回し。
【請求項５２】
前記摺動部材が狭窄部を備え、前記狭窄部が前記弧状突出部間に配置されるように形成されている、請求項５１に記載のロッキングねじ回し。
【請求項５３】
前記摺動部材が前記弧状突出部内に受け入れられるように形成されている長手方向の翼部を更に備え、前記翼部と前記弧状突出部との係合が前記摺動部材を前記チャネル内部に保持する、請求項５１に記載のロッキングねじ回し。